【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
パネル本体に設けられた空調風の吹出し口と、  前記吹出し口に回動自在に設けられ、前記空調風の吹出し方向を調整するルーバと、  前記パネル本体の前記吹出し口の外側に配設され、前記パネル本体に対して面一となる収納位置と、前記吹出し口から吹出される前記空調風に対向するルーバ方向位置との間で回動自在とされているエアウィングと、  前記エアウィングを前記収納位置と前記ルーバ方向位置との間において回動する回動機構と、を備え、 前記エアウィングには、ルーバ方向に吹出される前記空調風と対向する位置にせり出して前記空調風を遮るウィング部が設けられ、 前記エアウィングが前記収納位置にあるときに、前記ウィング部が前記パネル本体に対して面一となっている空気調和機。
【請求項２】
前記エアウィングには、前記ウィング部の両端部に一体に設けられた一対のアーム部が設けられており、 前記一対のアーム部のそれぞれが前記ルーバの長手方向両端部の外側に設けられ、 前記エアウィングが前記収納位置にあるときに、前記一対のアーム部が前記パネル本体に対して面一となっている請求項１に記載の空気調和機。
【請求項３】
前記エアウィングは、前記ウィング部及び前記一対のアーム部が前記ルーバを取り囲むように配置されている請求項２に記載の空気調和機。
【請求項４】
前記ウィング部は、前記パネル本体の各辺の一部を形成している請求項１から請求項３のいずれかに記載の空気調和機。
【請求項５】
前記エアウィングは、前記ウィング部及び前記一対のアーム部で形成された門形形状である請求項２または請求項３に記載の空気調和機。
【請求項６】
前記ウィング部には、前記エアウィングが前記収納位置に回動されたとき、該ウィング部に沿う位置とされ、前記空調風と対向する前記ルーバ方向位置に回動されたとき、該空調風と対向する位置に自立するサブウィングが設けられていることを特徴とする請求項１ないし５のいずれかに記載の空気調和機。
【請求項７】
前記パネル本体には、複数の前記吹出し口が設けられ、それぞれの吹出し口に対応して前記エアウィングが配設された構成とされていることを特徴とする請求項１ないし６のいずれかに記載の空気調和機。
【請求項８】
前記エアウィングは、それぞれ独立して設けられている前記回動機構により個別に回動自在とされていることを特徴とする請求項７に記載の空気調和機。
【請求項９】
前記エアウィングは、前記空調風と対向する前記ルーバ方向位置に回動指令が出されたとき、前記回動機構を介して前記ルーバの位置と対応した位置に回動可能な構成とされていることを特徴とする請求項１ないし８のいずれかに記載の空気調和機。
【請求項１０】
前記回動機構は、前記パネル本体側における前記エアウィングの一端側の回動支点付近に設けられた正逆回転可能なアクチュエータと、該アクチュエータの出力軸に設けられたリールと、一端が前記リールに接続されて巻取り、繰出し可能とされ、他端が前記エアウィングの一端部と対応する前記パネル本体側位置、前記エアウィングの一端部位置、前記エアウィングの他端部位置、前記エアウィングの他端部と対応する前記パネル本体側位置に設けられたワイヤガイドを経由して、前記エアウィングの他端側の回動支点付近に接続されたワイヤとからなるワイヤ式の回動機構とされていることを特徴とする請求項１ないし９のいずれかに記載の空気調和機。
【請求項１１】
前記回動機構は、前記エアウィングの長さ方向に延長され、その両端部が各々前記パネル本体に対して回動自在に支持された回転軸と、正逆回転可能なアクチュエータと、該アクチュエータの回転を前記回転軸に伝達する歯車機構とからなるギア式の回動機構とされていることを特徴とする請求項１ないし９のいずれかに記載の空気調和機。
【手続補正２】
【補正対象書類名】明細書
【補正対象項目名】０００９
【補正方法】変更
【補正の内容】
【０００９】  上記した課題を解決するために、本発明の空気調和機は、以下の手段を採用する。  すなわち、本発明にかかる空気調和機は、パネル本体に設けられた空調風の吹出し口と、前記吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記収納位置と前記ルーバ方向位置との間において回動する回動機構とを備え、前記エアウィングには、ルーバ方向に吹出される前記空調風と対向する位置にせり出して前記空調風を遮るウィング部が設けられ、前記エアウィングが前記収納位置にあるときに、前記ウィング部が前記パネル本体に対して面一となっている。
【手続補正３】
【補正対象書類名】明細書
【補正対象項目名】００１０
【補正方法】変更
【補正の内容】
【００１０】  本発明によれば、パネル本体に設けられた吹出し口の外側に、パネル本体に対して面一となる収納位置と、吹出し口から吹出される空調風に対向するルーバ方向位置との間で回動自在とされたエアウィングを配設し、そのエアウィングを回動機構により収納位置と、ルーバ方向位置との２位置間において選択的に回動自在としているため、ルーバ位置によって吹出し口から吹出される空調風が下方に居る人に直接当たり、ドラフト感を与えることがあるが、かかる場合、吹出し口の外側に配設されているエアウィングを吹出し口から吹出される空調風に対向するルーバ方向位置に回動させ、ルーバ方向への空調風の流れを遮って変更することにより、ドラフト感を低減することができる。また、ドラフト感を感じない場合や積極的にドラフト感を得たい場合は、エアウィングを収納位置に回動させて収納することにより、パネル本体と面一にし、一体に同化させた状態にして収納することができる。従って、エアウィングの使用、不使用を任意に選択し、ドラフト感による不快感を簡易に解消して空調フィーリングを改善することができるとともに、不使用時には、エアウィングをパネル本体に一体に同化させて収納することにより、デザイン性を維持することができる。しかも、専用のルーバによる風向制御と、そのルーバ位置でのドラフト感の抑制とを両立することができる。
【手続補正４】
【補正対象書類名】明細書
【補正対象項目名】００１１
【補正方法】変更
【補正の内容】
【００１１】  また、本発明の空気調和機は、上記の空気調和機において、前記エアウィングには、前記ウィング部の両端部に一体に設けられた一対のアーム部が設けられており、前記一対のアーム部のそれぞれが前記ルーバの長手方向両端部の外側に設けられ、前記エアウィングが前記収納位置にあるときに、前記一対のアーム部が前記パネル本体に対して面一となっている。
【手続補正５】
【補正対象書類名】明細書
【補正対象項目名】００１２
【補正方法】変更
【補正の内容】
【００１２】 また、本発明の空気調和機は、上記の空気調和機において、前記エアウィングは、前記ウィング部及び前記一対のアーム部が前記ルーバを取り囲むように配置されている。 また、本発明の空気調和機は、上記の空気調和機において、前記ウィング部は、前記パネル本体の各辺の一部を形成している。 また、本発明の空気調和機は、上記の空気調和機において、前記エアウィングは、前記ウィング部及び前記一対のアーム部で形成された門形形状である。